(57)【特許請求の範囲】
【請求項１】
モータを駆動源として回転するスクリューシャフトと、このスクリューシャフトに平行に配設されたガイドシャフトと、このガイドシャフトに摺動自在に嵌合され、先端部に下側磁気ヘッドが取付けられたキヤリッジと、このキヤリッジに設けられた係合凸部を前記スクリューシャフトのスクリュー溝に圧接するフォロワばねと、先端部に上側磁気ヘッドが取付けられ、前記キヤリッジの後端部にリーフヒンジばねを介してヒンジ結合されたホールドケースと、このホールドケースと前記キャリッジ間に掛止され、前記上側磁気ヘッドを前記下側磁気ヘッド方向へ付勢するロードスプリングとを備え、
前記ホールドケースの両側部に前記ガイドシャフト方向に延びる第１支持腕と前記スクリューシャフト方向に延びる第２支持腕とをそれぞれ形成し、この第１支持腕をアンローディング位置とローディング位置との間で上下動するホルダの天面に当接させると共に、前記第２支持腕を前記ホルダの天面から所定間隔を保って離反させたことを特徴とする磁気記録再生装置のヘッド移送機構。
【発明の詳細な説明】
【０００１】
【産業上の利用分野】
本発明は磁気記録再生装置のヘッド移送機構に係り、さらに詳しくは、下側磁気ヘッドを有するキヤリッジと上側磁気ヘッドを有するホールドケースとがヒンジ結合されたヘッド移送機構に関する。
【０００２】
【従来の技術】
ディスクカートリッジに内蔵された磁気ディスクに対して情報の記録再生を行うようにした磁気記録再生装置においては、ステッピングモータを駆動源として回転するスクリューシャフトと、このスクリューシャフトの回転によって磁気ディスクの半径方向に往復移動されるキヤリッジ等で構成されたヘッド移送機構が具備されている。前記キヤリッジ上にはホールドケースがヒンジ結合されると共に、ホールドケースをキヤリッジ方向へ弾性付勢するロードスプリングが掛合されており、これらキヤリッジとホールドケースに上下一対の磁気ヘッドが取付けられている。
【０００３】
このように概略構成された磁気記録再生装置において、ディスクカートリッジが装着されると、このディスクカートリッジを保持するホルダがアンローディング位置からローディング位置へと下降し、このホルダの移動に伴ってホールドケースがヒンジ部を支点としてキヤリッジ方向へ回動するため、キヤリッジの下側磁気ヘッドとホールドケースの上側磁気ヘッドが磁気ディスクを介して圧接される。この状態で、ステッピングモータを駆動してスクリューシャフトが回転すると、この回転がキヤリッジに伝達されることにより、キヤリッジとホールドケースがガイドシャフトに沿って磁気ディスクの半径方向に往復移動され、両磁気ヘッドから回転する磁気ディスクに対して情報の記録再生が行われる。これとは逆に、ホルダがローディング位置からアンローディング位置へと上昇すると、それに伴ってホールドケースがキヤリッジから離れる方向へ回動するため、ディスクカートリッジの非装着時は、両磁気ヘッドは離反状態に維持される。
【０００４】
図４８はかかるヘッド移送機構の従来例を示す平面図、図４９はその断面図である。これらの図に示すように、シャーシ１００上にはガイドシャフト１０１とスクリューシャフト１０２が互いに平行に配設されており、スクリューシャフト１０２は図示せぬステッピングモータを駆動源として回転するようになっている。前記ガイドシャフト１０１にはキヤリッジ１０３が摺動自在に嵌合されており、このキヤリッジ１０３の先端部に下側磁気ヘッド１０４が取付けられている。前記キヤリッジ１０３の側面には係合凸部１０３ａが突出形成されており、この係合凸部１０３ａはスクリューシャフト１０２のスクリュー溝に係合している。また、前記キヤリッジ１０３にはフォロワばね１０５がねじ止めされており、このフォロワばね１０５とキヤリッジ１０３の係合凸部１０３ａとでスクリューシャフト１０２を挾みつけることにより、係合凸部１０３ａをスクリューシャフト１０２のスクリュー溝に安定的に係合させている。さらに、前記キヤリッジ１０３の後端部にはホールドケース１０６に一体化されたリーフヒンジばね１０７がねじ止めされており、このホールドケース１０６の先端部に上側磁気ヘッド１０８が取付けられている。前記キヤリッジ１０３とホールドケース１０６間には捩じりコイルばねからなるロードスプリング１０９が掛止されており、このロードスプリング１０９によってホールドケース１０６はキヤリッジ１０３方向、すなわち、上側磁気ヘッド１０８が下側磁気ヘッド１０４と圧接する方向に付勢されている。また、前記ホールドケース１０６の両側部には第１支持腕１０６ａと第２支持腕１０６ｂがそれぞれ突出形成されており、これら両支持腕１０６ａ，１０６ｂは前記ロードスプリング１０９からのばね力を受けてホルダ１１０の天面に当接している。このホルダ１１０は図示せぬスライド板と協働してアンローディング位置とローディング位置間を上下動するようになっている。
【０００５】
このように構成されたヘッド移送機構において、図４９に示すアンローディング状態では、ホールドケース１０６はホルダ１１０によって上方へ持ち上げられており、上側磁気ヘッド１０８は下側磁気ヘッド１０４から離れている。一方、図示せぬディスクカートリッジが装着され、ホルダ１１０がディスクカートリッジを保持しながらアンローディング位置からローディング位置へと下降すると、このホルダ１１０の移動に伴ってホールドケース１０６がリーフヒンジバネ１０７の基部を支点としてキヤリッジ１０３方向へ回動し、ディスクカートリッジ内に収納された磁気ディスクの表裏両面に上側磁気ヘッド１０８と下側磁気ヘッド１０４が接触する。この状態で、ステッピングモータを駆動してスクリューシャフト１０２を回転させると、この回転がスクリュー溝と係合凸部１０３ａを介してキヤリッジ１０３に伝達され、キヤリッジ１０３がガイドシャフト１０１に沿って磁気ディスクの半径方向に往復移動するため、回転する磁気ディスクに対して上側磁気ヘッド１０８と下側磁気ヘッド１０４から情報の記録／再生が行われる。これとは逆に、ホルダ１１０がローディング位置からアンローディング位置へと上昇すると、それに伴ってホールドケース１０６がキヤリッジ１０３から離れる方向へ回動するため、図４９に示すように、上側磁気ヘッド１０８と下側磁気ヘッド１０４は再び離反状態となる。
【０００６】
【発明が解決しようとする課題】
ところで、前述した従来の磁気記録再生装置のヘッド移送機構では、図４９に示すアンローディング状態において、ホールドケース１０６は第１支持腕１０６ａと第２支持腕１０６ｂがホルダ１１０に当接することによって上方へ持ち上げられており、キヤリッジ１０３はフォロワばね１０５からのばね力を受けて係合凸部１０３ａがスクリューシャフト１０２に圧接している。この時、ホールドケース１０６の第１支持腕１０６ａと第２支持腕１０６ｂにはそれぞれＦ１，Ｆ２の上向きの力が作用し、キヤリッジ１０３の係合凸部１０３ａにはＦ３の下向きの力が作用し、ガイドシャフト１０１から各作用点Ｆ１，Ｆ２，Ｆ３までの距離をａ，ｂ，ｃとすると、ガイドシャフト１０１回りのモーメントは、矢印Ａ方向にＦ１・ａ＋Ｆ３・ｃ、矢印Ｂ方向にＦ２・ｂとなる。ここで、キヤリッジ１０３がシャーシ１００から浮き上がらず、係合凸部１０３ａとスクリューシャフト１０２の係合が安定的に維持されるためには、矢印Ａ方向のモーメントが矢印Ｂ方向のモーメントよりも大きいこと、すなわち、
Ｆ１・ａ＋Ｆ３・ｃ＞Ｆ２・ｂ…………▲１▼
の関係が成立しなければならない。
【０００７】
しかしながら、力Ｆ１，力Ｆ２の大きさはロードスプリング１０９のばね力のばらつきによって変動し、また、力Ｆ３の大きさはフォロワばね１０５自体のばね力のばらつきや、フォロワばね１０５をキヤリッジ１０３に取り付ける際のねじの締め付け力によって変動し、作業上、ねじの締め付け力を一定にすることは困難であるため、力Ｆ３の値が大きくばらつくことがある。そして、上記▲１▼式の関係が崩れ、
Ｆ１・ａ＋Ｆ３・ｃ＜Ｆ２・ｂ
となると、キヤリッジ１０３の係合凸部１０３ａがスクリューシャフト１０２から外れ易くなり、ヘッド移送機構の動作不良が発生するという問題があった。
【０００８】
なお、他の従来例として、ホールドケース１０６に第１支持腕１０６ａのみを形成し、第２支持腕１０６ｂを省略したヘッド移送機構も知られている。このものは、上記▲１▼式中でＦ２・ｂ＝０であるから、力Ｆ３の値が大きくばらついたとしても、キヤリッジ１０３がシャーシ１００から浮き上がることはなくなる。しかしながら、落下等によってホールドケース１０６が外部から大きな力を受けた時に、ホールドケース１０６が第１支持腕１０６ａとホルダ１１０との当接部分を支点として傾き、上側磁気ヘッド１０８が下側磁気ヘッド１０４にぶつかって破損するという問題があった。また、ホールドケース１０６が第１支持腕１０６ａのみをホルダ１１０との作用点として回動するため、ホールドケース１０６に一体化された板状のリーフヒンジばね１０７に捩じりモーメントが作用し、長年の間にリーフヒンジばね１０７が変形するという別の問題もあった。
【０００９】
本発明は、このような従来技術の実情に鑑みてなされたもので、その目的は、キヤリッジの浮き上がりを防止しつつ磁気ヘッドの破損を防止できる磁気記録再生装置のヘッド移送機構を提供することにある。
【００１０】
【課題を解決するための手段】
上記した本発明の目的は、モータを駆動源として回転するスクリューシャフトと、このスクリューシャフトに平行に配設されたガイドシャフトと、このガイドシャフトに摺動自在に嵌合され、先端部に下側磁気ヘッドが取付けられたキヤリッジと、このキヤリッジに設けられた係合凸部を前記スクリューシャフトのスクリュー溝に圧接するフォロワばねと、先端部に上側磁気ヘッドが取付けられ、前記キヤリッジの後端部にリーフヒンジばねを介してヒンジ結合されたホールドケースと、このホールドケースと前記キャリッジ間に掛止され、前記上側磁気ヘッドを前記下側磁気ヘッド方向へ付勢するロードスプリングとを備え、前記ホールドケースの両側部に前記ガイドシャフト方向に延びる第１支持腕と前記スクリューシャフト方向に延びる第２支持腕とをそれぞれ形成し、この第１支持腕をアンローディング位置とローディング位置との間で上下動するホルダの天面に当接させると共に、前記第２支持腕を前記ホルダの天面から所定間隔を保って離反させることによって達成される。
【００１２】
【作用】
ホルダが上昇したアンローディング状態において、ホールドケースはガイドシャフト寄りに延びる第１支持腕のみがホルダと当接して持ち上げられ、上側磁気ヘッドは下側磁気ヘッドから離反状態に保たれる。この時、ガイドシャフトの回りにはキヤリッジの係合凸部をスクリューシャフトに係合させる方向のモーメントのみが作用するため、ロードスプリングやフォロワばねのばね力のばらつきに拘らず、キヤリッジの浮き上がりは確実に防止される。
【００１３】
ここで、キヤリッジにリーフヒンジばねのガイドシャフト寄りの一側部を押圧する押さえ部を形成した場合、この押さえ部によってリーフヒンジばねが捩じれにくくなるため、リーフヒンジばねの変形を防止できる。
【００１４】
また、ホールドケースにスクリューシャフト方向に延びる第２支持腕を形成し、この第２支持腕とホルダ間に所定間隔を形成した場合、万一、落下等によってホールドケースが外部から大きな力を受けたとしても、ホールドケースは第２支持腕がホルダに衝当した時点で、それ以上キヤリッジ方向へ傾くことがないため、上側磁気ヘッドと下側磁気ヘッドの破損が防止される。
【００１５】
さらに、上記押さえ部と上記第２支持腕を共に形成した場合、キヤリッジの浮き上がりを防止しつつ、リーフヒンジばねの変形と磁気ヘッドの破損とを防止できるため、理想的な磁気記録再生装置のヘッド移送機構を提供できる。
【００１６】
【実施例】
以下、本発明の実施例を図に基づいて説明する。
図１〜図４７は本発明の一実施例を説明するもので、図１は磁気記録再生装置の平面図、図２は該磁気記録再生装置の正面図、図３は該磁気記録再生装置の背面図、図４は該磁気記録再生装置の側面図、図５はディスクカートリッジの平面図、図６は図１から上カバーを取り除いて示す平面図、図７はその背面図、図８はその側面図、図９は図６からホルダを取り除いて示す平面図、図１０はシャーシの平面図、図１１は該シャーシの側面図、図１２は該シャーシのガイド突起と突部を示す斜視図、図１３はスライド板の平面図、図１４は該スライド板の背面図、図１５は該スライド板の側面図、図１６はシャーシとスライド板の係合状態を示す断面図、図１７はホルダの平面図、図１８は該ホルダの背面図、図１９は該ホルダの側面図、図２０は該ホルダを母材から外形抜きする状態を示す説明図、図２１はシャッタ開閉機構の要部を示す斜視図である。
【００１７】
図１〜図４に示すように、本実施例に係る磁気記録再生装置は、互いに接合・一体化されて筐体を形成する上カバー１および下カバー２と、これら上・下カバー１，２の内部に収納されたメカニズム本体と、上・下カバー１，２の前方の開口に取付けられた前面板３とで構成されている。前面板３には横長形状の挿入口３ａが穿設されると共に、後述するイジェクト釦４が出入可能に配設されている。また、前面板３の裏側には扉５が回動可能に支承されており、この扉５は図示せぬ捩じりコイルばねによって挿入口３ａを閉塞する方向に付勢されている。
【００１８】
上記磁気記録再生装置に用いられるディスクカートリッジ６は公知のもので、図５に示すように、硬質プラスチックで成形されたカートリッジケース７と、このカートリッジケース７の内部に回転自在に収納された磁気ディスク８と、カートリッジケース７の一側縁に沿って往復移動可能なシャッタ９とで構成されている。カートリッジケース７の一隅はテーパ状に切り落されており、当該個所が誤挿入防止部７ａとなっている。シャッタ９はコの字状に折り曲げられており、その上下両面に長方形の窓孔９ａが形成され、カートリッジケース７にもこれら窓孔９ａに対応する開口７ｂが形成されている。このシャッタ９は図示せぬバネによって開口７ｂを閉鎖する方向へ付勢されているが、ディスクカートリッジ６が前面板３の挿入口３ａから内部に挿入されると、後述するシャッタ開閉機構によって開口７ｂと窓孔９ａとが一致する方向へ移動され、これら開口７ｂと窓孔９ａから磁気ディスク８が露出するようになっている。
【００１９】
図６〜図９に示すように、前記メカニズム本体は、下カバー２の上面に固定されたシャーシ１０と、このシャーシ１０上面に前後進可能に載置されたスライド板１１と、このスライド板１１に保持されたホルダ１２等で構成されている。以下、これらシャーシ１０とスライド板１１およびホルダ１２の具体的構成について説明する。
【００２０】
前記シャーシ１０は、母材である鉄板の上下両面に亜鉛メッキを施したものが用いられている。図１０〜図１２に示すように、このシャーシ１０の前後両端には起立壁１０ａ，１０ｂがそれぞれ折り曲げ形成されており、前方の起立壁１０ａの近傍に円形孔１０ｃが穿設されている。円形孔１０ｃの周囲にはＬ字形状をなす複数のガイド突起１０ｄが底面に対して直角に折り曲げ形成されており、このガイド突起１０ｄはシャーシ１０の片側について２個ずつ、左右両側で４個形成されている。シャーシ１０の底面には複数の突部１０ｅが上方に向けて突出形成されており、これら突部１０ｅは各ガイド突起１０ｄの近傍、好ましくは１０ｍｍ以内に配置されている。各突部１０ｅはシャーシ１０を板厚方向にプレス加工することによって形成され、前述したように、シャーシ１０には予め亜鉛メッキが施されているため、各突部１０ｅは表面に亜鉛メッキが施された平坦面を有することになる。また、シャーシ１０の底面には複数の補強用リブ１０ｆが形成されると共に、前記ディスクカートリッジ６の下降位置を規定する２つのストッパ突起１０ｇや、後方の起立壁１０ｂと所定間隔を存して対向する支持壁１０ｈ等が折り曲げ形成されている。さらに、シャーシ１０の左右両側面には切欠き１０ｉが形成され、後方の起立壁１０ｂにはねじ孔１０ｊが形成されている。
【００２１】
前記スライド板１１も前記シャーシ１０と同様に、母材である鉄板の上下両面に亜鉛メッキを施したものが用いられている。図１３〜図１５に示すように、このスライド板１１は断面Ｕ状に折り曲げ形成されており、その底面中央に開口１１ａが穿設されている。また、スライド板１１の前後端には取付片１１ｂと係止爪１１ｃとがそれぞれ折り曲げ形成されており、この取付片１１ｂに前記イジェクト釦４が取付けられるようになっている。さらに、スライド板１１の底面には複数のガイド孔１１ｄと１つの挿通孔１１ｆが穿設されており、スライド板１１の側面には片側について２個ずつ、左右両側で４個のカム溝１１ｅが形成されている。このスライド板１１は各ガイド孔１１ｄを前記ガイド突起１０ｄと一方のストッパ突起１０ｇに挿入し、他方のストッパ突起１０ｇを挿通孔１１ｆに挿入した状態で前記シャーシ１０上に載置され、各ガイド孔１１ｄが対応するガイド突起１０ｄによって上下方向と左右方向に位置規制されることにより、シャーシ１０の前後方向にのみ移動できるようになっている（図９参照）。その際、図１６に示すように、スライド板１１の下面はシャーシ１０に形成された各突部１０ｅの上面を摺動し、これらスライド板１１の下面と突部１０ｅの上面には共に亜鉛メッキが施されているため、スライド板１１をシャーシ１０に対して滑らかに摺動させることができる。
【００２２】
前記ホルダ１２も前記シャーシ１０やスライド板１１と同様に、母材である鉄板の上下両面に亜鉛メッキを施したものが用いられている。図１７〜図１９に示すように、このホルダ１２は断面逆Ｕ状に折り曲げ形成されており、その両側面の下端にホルダ１２の上面と所定間隔を存して対向する支持片１２ａが折り曲げ形成されている。ホルダ１２の上面には上方に若干膨らんだ膨出部１２ｂが形成されており、この膨出部１２ｂには後端に向かって延びる平面視凹状の長孔１２ｃと円弧状の逃孔１２ｄとが形成されている。膨出部１２ｂの近傍には抜け止め突起１２ｅが折り曲げ形成されると共に、係止孔１２ｆが穿設されている。また、ホルダ１２の上面前端には平面視凸状のストッパ突片１２ｇが形成されており、このストッパ突片１２ｇの幅寸法Ｗ１は長孔１２ｃの幅寸法Ｗ２以下（Ｗ１≦Ｗ２）に設定されている。さらに、ホルダ１２の側面には片側について２個ずつ、左右両側で４個の突起１２ｈが形成されると共に、下方へ延びる垂下片１２ｉが形成されている。
【００２３】
図２０に示すように、前記ホルダ１２は平板状の母材（亜鉛メッキを施した鉄板）をプレスで外形抜きした後、これに折り曲げ加工等を施すことにより、前述の如き形状にフォーミングされる。かかる外形抜き時に、ストッパ突片１２ｇの幅寸法Ｗ１と長孔１２ｃの幅寸法Ｗ２との関係がＷ１≦Ｗ２に設定されているため、任意のホルダ１２に形成されるストッパ突片１２ｇを隣接する別のホルダ１２に形成される長孔１２ｃ内に位置させることにより、母材から生じるスクラップを極力少なくすることができる。すなわち、凹状の長孔１２ｃを外形抜きする際に母材に残る凸状部分は本来スクラップとして廃棄されるものであるが、当該部分を別のホルダ１２のストッパ突片１２ｇとして利用できるため、母材の無駄分を少なくすることができる。
【００２４】
図６〜図９に戻り、前記ホルダ１２は前記スライド板１１の両側面間に挿入され、ホルダ１２の上面とスライド板１１の一側面との間には引っ張りばね１３が掛合されている。ここで、ホルダ１２の垂下片１２ｉはスライド板１１の底面を貫通して前記シャーシ１０の切欠き１０ｉ内に挿入され、これら垂下片１２ｉと切欠き１０ｉとの係合によりホルダ１２はシャーシ１０に対して上下方向にのみ移動できるよう規制されており、一方、前述したように、スライド板１１はシャーシ１０の前後方向にのみ移動可能であるため、スライド板１１は引っ張りばね１３によってシャーシ１０の前端方向へ付勢されている。また、スライド板１１とホルダ１２の後方には回動部材１４が配置されており、この回動部材１４はシャーシ１０に植設された支軸１５に回転可能に支承され、捩じりコイルばね１６によって図６の反時計回り方向に付勢されている。
【００２５】
前記回動部材１４はプラスチックの成形材からなり、図２１に示すように、この回動部材１４は、支軸１５に挿入される筒状の軸部１４ａと、この軸部１４ａから側方へ突出する一対の腕部１４ｂ，１４ｃとを有している。軸部１４ａの上端には鉤形をなす一対の支持壁１４ｄ，１４ｅが形成されており、これら支持壁１４ｄ，１４ｅの周囲に前記捩じりコイルばね１６が巻回されている。その際、両支持壁１４ｄ，１４ｅ間に軸線方向に延びる一対のスリット１４ｆが形成され、かつ、一方の支持壁１４ｅが他方の支持壁１４ｆよりも厚肉に形成されているため、薄肉側の支持壁１４ｅを撓めることにより、捩じりコイルばね１６の巻回部分を両支持壁１４ｄ，１４ｅ間に容易に挿入できるようになっている。また、一方の腕部１４ｂの先端にはシャッタ開閉ピン１４ｇが立設されており、このシャッタ開閉ピン１４ｇは前記逃孔１２ｄを貫通してホルダ１２の上方に達し、該シャッタ開閉ピン１４ｇに前記捩じりコイルばね１６の一端が掛止されている。さらに、他方の腕部１４ｃの先端にはロック爪１４ｈが形成されており、このロック爪１４ｈは前記スライド板１１の係止爪１１ｃと係脱可能である。なお、捩じりコイルばね１６の他端は前記ホルダ１２の抜け止め突起１２ｅを通り、その先端に形成された折曲部１６ａが係止孔１２ｆに掛止されている。
【００２６】
図２２はヘッド移送機構の平面図、図２３は該ヘッド移送機構の断面図、図２４は該ヘッド移送機構に備えられるキャリッジの平面図、図２５は該キャリッジの裏面図、図２６は該キャリッジの背面図、図２７は図２５のＡ−Ａ線に沿う断面図、図２８は該キャリッジへフォロワばねを取付ける状態を示す説明図、図２９は該キャリッジのヘッド取付部を示す斜視図、図３０は該キャリッジと下側磁気ヘッドの取付け状態を長手方向から見た断面図、図３１はその短手方向から見た断面図、図３２は該ヘッド移送機構に備えられるホールドケースの平面図、図３３は該ホールドケースとキャリッジの取付け部分を示す要部平面図、図３４は図３３のＢ−Ｂ線に沿う断面図である。
【００２７】
前記シャーシ１０の後部にはヘッド移送機構１７が配置されており、図２２，２３に示すように、このヘッド移送機構１７はキャリッジ１８と該キャリッジ１８の上方にヒンジ結合されたホールドケース１９とで構成されている。これらキャリッジ１８とホールドケース１９は共にプラスチック材で成形されており、キャリッジ１８の上面には下側磁気ヘッド２０が、ホールドケース１９の下面には上側磁気ヘッド２１がそれぞれ固定されている。
【００２８】
図２４〜図２７に示すように、前記キャリッジ１８の後部には段付状の連結部１８ａが形成されており、この連結部１８ａの上面には、円形溝１８ｂ、ねじ孔１８ｃ、規制突部１８ｄ、一対の位置決めピン１８ｅ、ばね受部１８ｆ、Ｌ字状のばね支持部１８ｇ等が形成されている。また、前記連結部１８ａの裏側には、下面を開放した凹部１８ｈと、該凹部１８ｈを介して対向する一対の支持部１８ｉと、凹部１８ｈに向かって傾斜するガイド部１８ｊとが形成されており、一方の支持部１８ｉにはねじ孔１８ｋと位置決めピン１８ｌが設けられている。前記両支持部１８ｉの下面はほぼ同一平面を形成し、これら支持部１８ｉ間に２点鎖線で示すフォロワばね２２が固定されるようになっている。
【００２９】
このフォロワばね２２の取付けに際しては、図２８に示すように、まず、前記キャリッジ１８を逆さにした状態で、フォロワばね２２を連結部１８ａの裏側から両支持部１８ｉ上に落とし込み、該フォロワばね２２の位置決め孔２２ａを位置決めピン１８ｌに挿入する。しかる後、ねじ２３をフォロワばね２２の透孔２２ｂを挿通してねじ孔１８ｋに螺入し、該ねじ２３を締め付けることにより、フォロワばね２２はキャリッジ１８の連結部１８ａ裏面に取付固定される。その際、凹部１８ｈの開口端にはガイド部１８ｊが形成されているため、フォロワばね２２は該ガイド部１８ｊに沿って両支持部１８ｉ上に確実に落とし込まれ、フォロワばね２２を簡単に取付けることができる。
【００３０】
図２２〜図２７に戻り、前記キャリッジ１８の一側部には貫通孔１８ｍが形成されており、この貫通孔１８ｍが前記シャーシ１０に固定されたガイドシャフト２４に挿通されることにより、キャリッジ１８はシャーシ１０の前後方向に案内されている。また、キャリッジ１８の他側部にはＬ字状腕１８ｎが形成されており、このＬ字状腕１８ｎはスクリューシャフト２５の上方を通り、シャーシ１０上に配設されたフォトインタラプタ等からなる検出部２６まで達している。前記Ｌ字状腕１８ｎの裏面には係合凸部１８ｏが刻設されており、この係合凸部１８ｏは前記フォロワばね２２の弾発力を受けてスクリューシャフト２５のスクリュー溝と安定的に係合している。前記スクリューシャフト２５は前記シャーシ１０の後方の起立壁１０ｂに取付けられたステッピングモータ２７の回転軸であり、該スクリューシャフト２５の先端はシャーシ１０の前記支持壁１０ｈに軸支されている。したがって、ステッピングモータ２７を駆動源としてスクリューシャフト２５が回転すると、該スクリューシャフト２５の回転が係合凸部１８ｏを介してキャリッジ１８に伝達され、該キャリッジ１８がシャーシ１０の前後方向、すなわち、前記磁気ディスク８の半径方向へ移動される。また、その際に、Ｌ字状腕１８ｎの先端が検出部２６を横切ると、ゼロトラック信号が出力される。
【００３１】
図２９〜図３１に示すように、前記キャリッジ１８の先端中央部には取付台１８ｐが形成されており、この取付台１８ｐの周囲は窪み部１８ｑとなっている。取付台１８ｐの上面にはキャリッジ１８の長手方向に延びる接着剤充填溝１８ｒと、該接着剤充填溝１８ｒを介して対向する逃げ溝１８ｓとが形成され、該取付台１８ｐの両側部には貫通孔１８ｔが形成されており、前記接着剤充填溝１８ｒの一端は他の部分に比べて幅寸法が大きい円形の幅広部となっている。このように構成された取付台１８ｐ上には前記下側磁気ヘッド２０が載置され、該下側磁気ヘッド２０は前記接着剤充填溝１８ｒに充填された接着剤２８によって取付台１８ｐに固定されている。その際、接着剤充填溝１８ｒの一端に形成された円形の幅広部は下側磁気ヘッド２０より外方に位置しており、この幅広部から注入された接着剤２８は接着剤充填溝１８ｒを通って下側磁気ヘッド２０と取付台１８ｐとの間に確実に充填される。また、接着剤充填溝１８ｒは下側磁気ヘッド２０の下面中央に沿って延びているため、下側磁気ヘッド２０は取付台１８ｐに対してバランス良く接着固定される。さらに、下側磁気ヘッド２０は薄肉コア部２０ａと厚肉コア部２０ｂとを有しているが、厚肉コア部２０ｂに比べて剛性の低い薄肉コア部２０ａは、接着剤充填溝１８ｒを跨いで両逃げ溝１８ｓ上に位置し、接着剤充填溝１８ｒから下側磁気ヘッド２０の下面を通って流出する余剰の接着剤２８がこれら逃げ溝１８ｓ内に溜められるようになっている。その結果、薄肉コア部２０ａと取付台１８ｐとの接触面積が少なくなるため、薄肉コア部２０ａが接着剤２８の硬化によって破損することが防止される。
【００３２】
なお、接着剤２８によって下側磁気ヘッド２０を取付台１８ｐに固定した後、必要に応じて、下側磁気ヘッド２０の周囲にＵＶ樹脂等の接着剤２９を塗布すると、下側磁気ヘッド２０は取付台１８ｐに一層確実に固定される（図３０参照）。そして、このようにキャリッジ１８の取付台１８ｐ上に接着固定された下側磁気ヘッド２０はＦＰＣ（フレキシブルプリント基板）３０に接続され、該ＦＰＣ３０は前記窪み部１８ｑを通って後述するプリント基板まで導かれるようになっている。
【００３３】
図３２に示すように、前記ホールドケース１９の上面にはばね受部１９ａが形成されると共に、その両側部には第１支持腕１９ｂと第２支持腕１９ｃとが突出形成されている。第１支持腕１９ｂの下面は第２支持腕１９ｃの下面に対して低い位置にあり、本実施例の場合、第１支持腕１９ｂの先端を下方へ向けてＬ字状に形成することにより、第１支持腕１９ｂの先端が第２支持腕１９ｃより下方へ突出するようになっている。また、ホールドケース１９の後端部には弾性金属板からなるリーフヒンジばね３１が設けられており、これらホールドケース１９とリーフヒンジばね３１はアウトサート成形によって一体化されている。さらに、ホールドケース１９の先端部にはジンバルばねを介して前記上側磁気ヘッド２１が固定されており、この上側磁気ヘッド２１も図示省略したＦＰＣを介して後述するプリント基板まで導かれるようになっている。
【００３４】
このように構成されたホールドケース１９は、図２２，２３に示すように、前記キャリッジ１８の連結部１８ａ上にリーフヒンジばね３１と取付板３２とを重ね合わせて載置した後、上方から止めねじ３３を連結部１８ａのねじ孔１８ｃに螺入することにより、キャリッジ１８の連結部１８ａ上にヒンジ結合される。その際、図２６に示すように、リーフヒンジばね３１の一側縁をキャリッジ１８のばね支持部１８ｇの基部に形成されたスリット状の押さえ部１８ｕ内に挿通しながら連結部１８ａに載置することにより、該押さえ部１８ｕによってリーフヒンジばね３１のガイドシャフト２４寄りの一側縁が押さえられている。この状態で、ホールドケース１９を止めねじ３３の締付力に抗して微小回転し、下側磁気ヘッド２０と上側磁気ヘッド２１のアライメントを調整した後、キャリッジ１８の円形溝１８ｂに接着剤３４を充填することにより、リーフヒンジばね３１が連結部１８ａに仮固定される。この場合、図３３，３４に示すように、リーフヒンジばね３１は円形溝１８ｂをほぼ半分だけ覆うように連結部１８ａに載置されるため、該円形溝１８ｂの露出部分から接着剤３４をキャリッジ１８とリーフヒンジばね３１との間に容易に充填することができる。また、リーフヒンジばね３１の取付板３２に切欠き３２ａが形成されているため、余剰の接着剤３４は該切欠き３２ａ内に溜められ、接着剤３４の不所望なはみ出しが防止される。なお、上記仮固定が終了した後、止めねじ３３を強く締め付けて本固定されるが、この場合、リーフヒンジばね３１は接着剤３４によって連結部１８ａに仮固定されているため、下側磁気ヘッド２０と上側磁気ヘッド２１のアライメントは維持される。
【００３５】
前記取付板３２は金属平板をプレス抜きすることによって形成されたものであり、該プレス抜きの際に取付板３２の一方の面にバリが発生する。このバリの高さは不均一であり、仮りに、バリが発生した面を裏にして取付板３２をキャリッジ１８の連結部１８ａに載置した場合、止めねじ３３の締付力がリーフヒンジばね３１に均一に作用しなくなる。そこで、本実施例では、図２２に示すように、取付板３２の一隅に切り落とし部３２ｃを形成し、この切り落とし部３２ｃ内に前記キャリッジ１８の規制突部１８ｄを位置させることにより、取付板３２に方向性を持たせてある。したがって、取付板３２をキャリッジ１８の連結部１８ａに載置した状態では、常にバリが上を向くようになり、取付板３２を逆にした状態でキャリッジ１８に組み込めないようになっている。
【００３６】
再び図２２に戻り、前記キャリッジ１８のばね支持部１８ｇにはロードスプリング３５の巻回部分が挿入されており、該ロードスプリング３５の両自由端をばね受部１８ｆ，１９ａにそれぞれ掛止することにより、ホールドケース１９はキャリッジ１８に向けて弾性付勢されている。前記ロードスプリング３５は捩じりコイルばねからなり、その巻回部分から両自由端までの長さｌ１，ｌ２はほぼ等しい長さに設定されている。このため、ロードスプリング３５を組み込む際に、その向きを気にする必要がなくなり、作業性の向上が図られている。また、ホールドケース１９は前記ホルダ１２の長孔１２ｃ内に位置しており、該ホールドケース１９に設けられた２つの支持腕１９ｂ，１９ｃのうち、第１支持腕１９ｂはロードスプリング３５の弾発力を受けてホルダ１２の膨出部１２ｂと当接しているが、第２支持腕１９ｃと膨出部１２ｂ間には所定のクリアランスが確保されている。その際、第１支持腕１９ｂに対して第２支持腕１９ｃがリーフヒンジばね３１から遠い位置に形成されているため、第２支持腕１９ｃと膨出部１２ｂ間に必要とされるクリアランスを確保した上で、第２支持腕１９ｃの厚さ寸法を可及的に大きくすることができるようになっている。さらに、第１支持腕１９ｂはガイドシャフト２４のほぼ真上でホルダ１２の膨出部１２ｂと当接し、該ガイドシャフト２４から離れた位置でヘッド移送機構１７がフォロワばね２２によって弾性的に支持されているため、ばね力が小さいフォロワばね２２を用いても、キャリッジ１８を含むヘッド移送機構１７の浮き上がりを防止することができる。
【００３７】
図３５は前記シャーシを裏側から見た図であり、同図に示すように、シャーシ１０の下面にはサブシャーシ３６と前述したプリント基板３７とが固定されている。サブシャーシ３６上にはスピンドルモータ３８が搭載されており（図９参照）、このスピンドルモータ３８は制御基板やＦＰＣを介してプリント基板３７と電気的に接続されている。プリント基板３７には前記ステッピングモータ２７やスピンドルモータ３８等の駆動回路用素子等を含む回路素子が実装されると共に、図９に示すように、その上面後端部には２つのコネクタ３９，４０が取付けられている。これらコネクタ３９，４０は複数の接続ピン３９ａ，４０ａを有する雄コネクタであり、２点鎖線で示す外部機器の雌コネクタ４１をこれらコネクタ３９，４０に挿入することにより、磁気記録再生装置は外部機器に接続されるようになっている。
【００３８】
図３６は前記上カバーの平面図、図３７は該上カバーの背面図、図３８は該上カバーの側面図、図３９は前記下カバーの平面図、図４０は該下カバーの背面図、図４１は該下カバーの側面図である。
【００３９】
図３６〜図３８に示すように、前記上カバー１は平板状の天面２ａと該天面１ａの両側縁から垂下する一対の側面１ｂおよび天面１ａの後端から垂下する背面１ｃとを有し、これら側面１ｂと背面１ｃは天面１ａに対して直角に折り曲げ形成されている。背面１ｃには透孔１ｄが形成され、一方の側面１ｂの下端にはＬ字状をなす脚片１ｅが２個、他方の側面１ｂの下端にはＬ字状をなす脚片１ｅと角形の垂下片１ｆが１個ずつ形成されている。これら脚片１ｅと垂下片１ｆの形成位置は互いに上カバー１の前後方向に位置ずれしており、したがって、上カバー１を金属平板の母材から多数個取りする際に、任意の上カバー１に形成される脚片１ｅや垂下片１ｆを、別の上カバー１に形成される両脚片１ｅ間または脚片１ｅと垂下片１ｆ間に位置させることにより、母材から生じるスクラップを極力少なくすることができる。
【００４０】
図３９〜図４１に示すように、前記下カバー２は平板状の底面２ａと該底面２ａの両側縁から起立する一対の側面２ｂおよび底面２ａの後端から起立する背面２ｃとを有し、これら側面２ｂと背面２ｃは底面２ａに対して直角に折り曲げ形成されている。下カバー２の底面２ａの奥行き寸法は前記上カバー１の天面２ａの奥行き寸法より大きく設定されており、上カバー１はその短寸分だけ材料の削減と軽量化が図られている。また、背面２ｃの高さ寸法は各側面２ｂに対して十分に小さく設定されており、該背面２ｃの上端には一対の規制壁２ｄが突設されている。一方の側面２ｂには２個の係止片２ｅが形成され、他方の側面２ｂには１個の係止片２ｅと透孔２ｆを有する折り曲げ片２ｇが形成されている。これら係止片２ｅは垂直線に沿って側面２ｂの内方へ略直角に折り曲げ形成されたものである。また、各側面２ｂには開口を介して対向する支持片２ｈと止片２ｉの組が、片側について２組ずつ左右両側で４組形成されている。各組における支持片２ｈと止片２ｉは上下方向に位置ずれしており、止片２ｉの下端は上方へ向かって傾斜している。該止片２ｉはプレス抜きされた状態であるが、支持片２ｈはプレス抜き後に垂直線に沿って側面２ｂの内方へ略直角に折り曲げられている。
【００４１】
このように構成された下カバー２に対して前記メカニズム本体を固定した後、下カバー２に上カバー１を被せて両者１，２を互いに接合・一体化することにより、前述の如く、磁気記録再生装置の筐体が形成される。この場合、図４２に示すように、まず、組立が完了したメカニズム本体のシャーシ１０を下カバー２の内部に挿入して各支持片２ｈ上に載置した後、各止片２ｉを側面２ｂの内方へ略直角に折り曲げ、それぞれの止片２ｉと支持片２ｈの組でシャーシ１０を挾持する。図６〜図８はこの状態を示すものであり、これらの図から明らかなように、プリント基板３７上に取付けられたコネクタ３９，４０の側方に下カバー２の規制壁２ｄが位置する。
【００４２】
次いで、図４３（ａ）に示すように、下カバー２の両側面２ｂの内側に上カバー１の両側面１ｂを挿入し、上カバー１を下カバー２の後端方向（矢印方向）に押し込むと、図４３（ｂ）に示すように、上カバー１の側面１ｂ下端と各脚片１ｅの先端との間に下カバー２の対応する各係止片２ｅが入り込み、上カバー１が下カバー２に結合される。この場合、脚片１ｅとそこに係止される係止片２ｅは上カバー１や下カバー２の母材をプレス抜きしたものであるから、いずれも高い寸法精度が確保されており、したがって、各係止片２ｅの折り曲げ角度にかかわらず、各脚片１ｅは対応する係止片２ｅに確実に係止される。また、係止片２ｅをプレス抜きした際に形成される開口が脚片１ｅによって塞がれるため、防塵や磁気シールドが図られている。しかる後、図４４に示すように、ねじ４２を上カバー１と下カバー２の透孔１ｄ，２ｆを挿通してシャーシ１０のねじ孔１０ｊに螺入すると、シャーシ１０を含むメカニズム本体と下カバー２および上カバー１の三者が互いに接合・一体化される。
【００４３】
図１〜図４はこの状態を示すものであり、これらの図から明らかなように、メカニズム本体の大部分は上下カバー１，２によって覆われるが、プリント基板３７上に取付けられたコネクタ３９，４０と、シャーシ１０の起立壁１０ｂに取付けられたステッピングモータ２６とは、上カバー１の後端から外方へ露出し、下カバー２の後端部上方の開放部分に位置している。また、前述したように、下カバー２の背面２ｃに形成された両規制壁２ｄが各コネクタ３９，４０の側方に位置する。したがって、外部機器の雌コネクタ４１をこれらコネクタ３９，４０に挿入する際、雌コネクタ４１は規制壁２ｄによって横方向のズレが規制され、雌コネクタ４１をコネクタ３９，４０に対して容易に挿入することができる。さらに、ステッピングモータ２６の取付位置を調整する必要が生じた場合は、この調整作業をステッピングモータ２６の上方の広い空間を利用して行うことができる。
【００４４】
本実施例に係る磁気記録再生装置は上記したように構成されており、次に、その動作について説明する。
【００４５】
ディスクカートリッジ６の未装着状態において、回動部材１４は捩じりコイルばね１６に弾性付勢されて図６の位置にあり、該回動部材１４のロック爪１４ｈがスライド板１１の係止爪１１ｃに係合することにより、スライド板１１は後退位置に保たれている。この場合、図４５に示すように、ホルダ１２の各突起１２ｈはスライド板１１の各カム溝１１ｅの上端に係止され、ホルダ１２は上昇位置に保たれている。
【００４６】
ディスクカートリッジ６を前面板３の挿入口３ａから内部に挿入すると、ディスクカートリッジ６によって扉５が回動されるが、この扉５の過度の回動はホルダ１２のストッパ突片１２ｇと当接することにより規制される。ディスクカートリッジ６をさらに挿入し、ホルダ１２の上面と支持片１２ａとの間を通って回動部材１４のシャッタ開閉ピン１４ｇに突き当てると、その挿入途中で、捩じりコイルばね１６の折曲部１６ａはテーパ状の誤挿入防止部７ａによって外方へ逃がされる。なお、ディスクカートリッジ６の天地を逆にして誤挿入した場合は、カートリッジケース７の先端が折曲部１６ａに当接するため、ディスクカートリッジ６をそれ以上挿入することができないようになっている。
【００４７】
さらに、ディスクカートリッジ６を内部に挿入すると、図４７に示すように、回動部材１４は捩じりコイルばね１６の弾性力に抗して図６の時計回り方向に回転し、ディスクカートリッジ６の先端部分はヘッド移送機構１７のキャリッジ１８とホールドケース１９との間に入り込む。そして、この回動部材１４の回転に伴い、シャッタ開閉ピン１４ｇがホルダ１２の透孔１２ｄ内を回動するため、該シャッタ開閉ピン１４ｇによってシャッタ９が移動され、カートリッジケース７内の磁気ディスク８が開口７ｂと窓孔９ａから露出する。また、前記回動部材１４の回転に伴い、ロック爪１４ｈと係止爪１１ｃの係止が解除されるため、スライド板１１が引っ張りばね１３によって前進位置へ移動され、スライド板１１の取付板１１ｃに固定されたイジェクト釦４が前面板３から突出する。その結果、図４５に示すように、ホルダ１２の各突起１２ｈがスライド板１１の各カム溝１１ｅの下端へ移動し、ホルダ１２はディスクカートリッジ６と共に下降位置、すなわち、ローディング位置へと移動する。また、ホルダ１２の膨出部１２ｂに第１支持腕１９ｂが当接しているため、ホルダ１２の下降に伴い、ロードスプリング３５に付勢されたホールドケース１９も下降し、キャリッジ１８側の下側磁気ヘッド２０とホールドケース１９側の上側磁気ヘッド２１がそれぞれ磁気ディスク８に接触する。ここで、ホルダ１２の膨出部１２ｂに当接するのは第１支持腕１９ｂのみであり、その反力がリーフヒンジばね３１に捩じりモーメントとして作用するが、前述したように、リーフヒンジばね３１の一側縁がキャリッジ１８の押さえ部１８ｕによって押さえ付けられているため、リーフヒンジばね３１の変形が防止されている。なお、万が一、落下等によって大きな外力が作用した場合は、ホールドケース１９の第２支持腕１９ｃがホルダ１２の膨出部１２ｂに衝当し、ホールドケース１９がキャリッジ１８側へ過度に傾かないため、両磁気ヘッド２０，２１が衝突して破損しないようになっている。
【００４８】
このようにしてディスクカートリッジ６がローディング位置まで移動された後、ステッピングモータ２７を駆動してスクリューシャフト２５を回転させると、該スクリューシャフト２５の回転がスクリュー溝と係合凸部１８ｏの係合部分を介してキャリッジ１８に伝達され、ヘッド移送機構１７はガイドシャフト２４に沿って磁気ディスク８の半径方向へ移動する。また、スピンドルモータ３８を駆動することにより磁気ディスク８が回転し、該磁気ディスク８に対して下側磁気ヘッド２０および上側磁気ヘッド２１から情報の記録／再生が行われる。
【００４９】
また、ローディング位置にあるディスクカートリッジ６を排出する場合は、前面板３より突出するイジェクト釦４を押圧し、スライド板１１を引っ張りばね１３の弾性力に抗して後退位置へ移動する。すると、ホルダ１２は図４６のローディング位置から図４５に示すアンローディング位置へと上昇し、図４７の反時計回り方向に回動する回動部材１４によって、ディスクカートリッジ６が前面板３の挿入口３ａから排出されると共に、回動部材１４のロック爪１４ｈがスライド板１１の係止爪１１ｃに係止することにより、スライド板１１が再び後退位置に保たれる。
【００５０】
【発明の効果】
以上説明したように、ホールドケースの両側部に第１支持腕と第２支持腕を形成し、ガイドシャフト寄りに延びる第１支持腕のみをホルダの天面と当接させるようにした本発明によれば、アンローディング状態において、ホールドケースは第１支持腕のみがホルダと当接して持ち上げられるため、キヤリッジの浮き上がりを防止できるのみならず、万一、落下等によってホールドケースが外部から大きな力を受けたとしても、ホールドケースは第２支持腕がホルダに衝当した時点で、それ以上キヤリッジ方向へ傾くことがないため、上側磁気ヘッドと下側磁気ヘッドの破損を確実に防止できる。
【図面の簡単な説明】
【図１】本発明の一実施例に係る磁気記録再生装置の平面図である。
【図２】該磁気記録再生装置の正面図である。
【図３】該磁気記録再生装置の背面図である。
【図４】該磁気記録再生装置の側面図である。
【図５】ディスクカートリッジの平面図である。
【図６】図１から上カバーを取り除いて示す平面図である。
【図７】その背面図である。
【図８】その側面図である。
【図９】図６からホルダを取り除いて示す平面図である。
【図１０】該磁気記録再生装置に備えられるシャーシの平面図である。
【図１１】該シャーシの側面図である。
【図１２】該シャーシのガイド突起と突部を示す斜視図である。
【図１３】該磁気記録再生装置に備えられるスライド板の平面図である。
【図１４】該スライド板の背面図である。
【図１５】該スライド板の側面図である。
【図１６】該スライド板とシャーシの係合状態を示す断面図である。
【図１７】該磁気記録再生装置に備えられるホルダの平面図である。
【図１８】該ホルダの背面図である。
【図１９】該ホルダの側面図である。
【図２０】該ホルダを母材から外形抜きする状態を示す説明図である。
【図２１】該磁気記録再生装置に備えられるシャッタ開閉機構の要部を示す斜視図である。
【図２２】該磁気記録再生装置に備えられるヘッド移送機構の平面図である。
【図２３】該ヘッド移送機構の断面図である。
【図２４】該ヘッド移送機構に備えられるキャリッジの平面図である。
【図２５】該キャリッジの裏面図である。
【図２６】該キャリッジの背面図である。
【図２７】図２５のＡ−Ａ線に沿う断面図である。
【図２８】該キャリッジへフォロワばねを取付ける状態を示す説明図である。
【図２９】該キャリッジのヘッド取付部を示す斜視図である。
【図３０】該キャリッジと下側磁気ヘッドの取付け状態を長手方向から見た断面図である。
【図３１】その短手方向から見た断面図である。
【図３２】該ヘッド移送機構に備えられるホールドケースの平面図である。
【図３３】該ホールドケースとキャリッジの取付け部分を示す要部平面図である。
【図３４】図３３のＢ−Ｂ線に沿う断面図である。
【図３５】図１０のシャーシを裏側から見た図である。
【図３６】該磁気記録再生装置に備えられる上カバーの平面図である。
【図３７】該上カバーの背面図である。
【図３８】該上カバーの側面図である。
【図３９】該磁気記録再生装置に備えられる下カバーの平面図である。
【図４０】該下カバーの背面図である。
【図４１】該下カバーの側面図である。
【図４２】該下カバーとシャーシの固定関係を示す説明図である。
【図４３】上カバーと下カバーの組立工程を示す説明図である。
【図４４】上カバーと下カバーおよびシャーシの固定部分を示す要部断面図である。
【図４５】アンローディング時のホルダとスライド板の関係を示す説明図である。
【図４６】ローディング時のホルダとスライド板の関係を示す説明図である。
【図４７】図６のローディング状態を示す平面図である。
【図４８】従来のヘッド移送機構の平面図である。
【図４９】該ヘッド移送機構の断面図である。
【符号の説明】
１  上カバー
１ｅ  脚片
２  下カバー
２ｅ  係止片
２ｈ  支持片
２ｉ  止片
５  扉
６  ディスクカートリッジ
７  カートリッジケース
７ａ  誤挿入防止部
８  磁気ディスク
９  シャッタ
１０  シャーシ
１０ｄ  ガイド突起
１０ｅ  突部
１１  スライド板
１１ｃ  係止爪
１１ｄ  ガイド孔
１１ｅ  カム溝
１２  ホルダ
１２ｃ  長孔
１２ｆ  係止孔
１２ｇ  ストッパ突片
１２ｈ  突起
１３  引っ張りばね
１４  回動部材
１４ａ  軸部
１４ｂ，１４ｃ  腕部
１４ｄ，１４ｅ  支持壁
１４ｆ  スリット
１４ｇ  シャッタ開閉ピン
１４ｈ  ロック爪
１６  捩じりコイルばね
１６ａ  折曲部
１７  ヘッド移送機構
１８  キャリッジ
１８ａ  連結部
１８ｂ  円形溝
１８ｃ，１８ｋ  ねじ孔
１８ｄ  規制突部
１８ｅ，１８ｌ  位置決めピン
１８ｆ  ばね受部
１８ｇ  ばね支持部
１８ｈ  凹部
１８ｉ  支持部
１８ｊ  ガイド部
１８ｏ  係合凸部
１８ｐ  取付台
１８ｑ  窪み部
１８ｒ  接着剤充填溝
１８ｓ  逃げ溝
１８ｕ  押さえ部
１９  ホールドケース
１９ａ  ばね受部
１９ｂ  第１支持腕
１９ｃ  第２支持腕
２０  下側磁気ヘッド
２０ａ  薄肉コア部
２０ｂ  厚肉コア部
２１  上側磁気ヘッド
２２  フォロワばね
２３  ねじ
２４  ガイドシャフト
２５  スクリューシャフト
２７  ステッピングモータ
２８  接着剤
３１  リーフヒンジばね
３２  取付板
３２ａ  切欠き
３２ｃ  切り落とし部
３３  止めねじ
３４  接着剤
３５  ロードスプリング
３７  プリント基板
３９，４０  コネクタ
４１  雌コネクタ
４２  ねじ
【図１】
0003589252.tif 000002
【図２】
0003589252.tif 000003
【図３】
0003589252.tif 000004
【図４】
0003589252.tif 000005
【図５】
0003589252.tif 000006
【図６】
0003589252.tif 000007
【図７】
0003589252.tif 000008
【図８】
0003589252.tif 000009
【図９】
0003589252.tif 000010
【図１０】
0003589252.tif 000011
【図１１】
0003589252.tif 000012
【図１２】
0003589252.tif 000013
【図１３】
0003589252.tif 000014
【図１４】
0003589252.tif 000015
【図１５】
0003589252.tif 000016
【図１６】
0003589252.tif 000017
【図１７】
0003589252.tif 000018
【図１８】
0003589252.tif 000019
【図１９】
0003589252.tif 000020
【図２０】
0003589252.tif 000021
【図２１】
0003589252.tif 000022
【図２２】
0003589252.tif 000023
【図２３】
0003589252.tif 000024
【図２４】
0003589252.tif 000025
【図２５】
0003589252.tif 000026
【図２６】
0003589252.tif 000027
【図２７】
0003589252.tif 000028
【図２８】
0003589252.tif 000029
【図２９】
0003589252.tif 000030
【図３０】
0003589252.tif 000031
【図３１】
0003589252.tif 000032
【図３２】
0003589252.tif 000033
【図３３】
0003589252.tif 000034
【図３４】
0003589252.tif 000035
【図３５】
0003589252.tif 000036
【図３６】
0003589252.tif 000037
【図３７】
0003589252.tif 000038
【図３８】
0003589252.tif 000039
【図３９】
0003589252.tif 000040
【図４０】
0003589252.tif 000041
【図４１】
0003589252.tif 000042
【図４２】
0003589252.tif 000043
【図４３】
0003589252.tif 000044
【図４４】
0003589252.tif 000045
【図４５】
0003589252.tif 000046
【図４６】
0003589252.tif 000047
【図４７】
0003589252.tif 000048
【図４８】
0003589252.tif 000049
【図４９】
0003589252.tif 000050